(57)【要約】【課題】  パイプ係止部の強度を十分に確保しつつ、操作性の良い電気掃除機を提供すること。【解決手段】  下面を形成する下ケース２ｂと、該下ケース２ｂの上面を覆う上ケース２ａとから電気掃除機本体１を構成し、該掃除機本体１にホース１０、延長管１１などのパイプを接続してなる電気掃除機であって、前記上ケース２ａの前面側下部にパイプ突起部１３を係止する凹部１９を備えたホルダ部１４を設けるとともに前記下ケース２ｂに該凹部１９と重なり合う開口部２２ａを設け、前記下ケース２１によって前記上ケース２ａのホルダ部１４を包み込んで二重構造となるようにした。この場合、上ケース２ａのホルダ部１４を包み込む下ケース２ｂの一部２４が、上ケース２ａホルダ部１４の係止凹部１９に突出している。また、パイプ突起部１３がほぼ逆Ｌ字状に形成され、その突出部１３ｂが断面ほぼコ字状に形成したホルダ部１４の凹部１９に係止される。【選択図】        図１
2005052519.tif 000002
【特許請求の範囲】
【請求項１】
下面を形成する下ケースと、該下ケースの上面を覆う上ケースとから電気掃除機本体を構成し、該掃除機本体にホース、延長管などのパイプを接続してなる電気掃除機において、
前記上ケースの前面側下部にパイプ突起部を係止する凹部を備えたホルダ部を設けるとともに前記下ケースに該凹部と重なり合う開口部を設け、前記下ケースによって前記上ケースのホルダ部を包み込んで二重構造となるようにしたことを特徴とする電気掃除機。
【請求項２】
上ケースのホルダ部を包み込む下ケースの一部が、上ケースホルダ部の係止用凹部に突出していることを特徴とする請求項１記載の電気掃除機。
【請求項３】
パイプ突起部がほぼ逆Ｌ字状に形成され、該突出部を断面ほぼコ字状に形成したホルダ部の凹部に係止させることを特徴とする請求項１または２記載の電気掃除機。
【発明の詳細な説明】
【技術分野】
【０００１】
本発明は、電気掃除機に係り、さらに詳しくは、延長管等を掃除機本体に係止取り付けすることができる電気掃除機及びパッキン取り付け孔に取り付けるパッキンに関する。
【背景技術】
【０００２】
従来の電気掃除機の掃除機本体は、電動送風機を挟持するための上下ケースからそれぞれ突設され、先端部が当設する連結リブの当設部分をネジ等で連結した連結具を備え、その近傍に掃除機本体の立位収納時に、延長管より突設された突起部を取り付けるための係止手段を設けている（例えば、特許文献１参照）。
一方、従来の電気掃除機のパッキン取り付け孔に取り付けるパッキンは、外側フランジ部と吸引側フランジ部によってパッキン取り付け孔を挟み込んで固定させるが、外側フランジ部より位置決め用の突出部を２カ所突出させてそれを相手部品と嵌合させることにより、上下方向の位置決めを行っていた（例えば、特許文献２参照）
また、従来のパッキンは、パッキンタイト部をホース差込側に設けているが、ホース差込口との気密を確保するためにホース差込口の外径よりもパッキンタイト部の内径を小さくして、ホース差込口とパッキンタイト部とが干渉するようにしてある（例えば、特許文献３参照）。
【特許文献１】特開平１０−１１３３１７号公報（第８−９頁、図１）
【特許文献２】実公平５−２０２８０号公報（図１（Ａ）、（Ｂ）、（Ｃ）、（Ｄ））
【特許文献３】実公平５−２０２８０号公報（第６頁、図６）
【発明の開示】
【発明が解決しようとする課題】
【０００３】
特許文献１にかかる電気掃除機の掃除機本体においては、電動送風機は通常電気掃除機本体の後方に位置しており、それを挟持するためのリブは本体の前後方向のほぼ中央に配設されるため、延長管を取り付ける係止手段も同位置に配設される。しかし、電気掃除機本体は小型化しているので、立位状態にした場合、床面に設置する後背面から係止手段までの距離は短くなる傾向にあり、このため延長管より突設する突起部は、延長管の先端付近か吸込具の接続パイプ部近傍に設置するようになっている。
【０００４】
しかしながら、このようにすると、ソファーの下などの隙間部等を掃除する場合は突起部が邪魔になり、吸込具の接続パイプ部の可動傾斜範囲が狭くなって、掃除がしにくくなるという問題があった。また、立位状態にした場合において、電気掃除機本体の上部より係止手段まで距離があるため、延長管の係止が容易でなく、操作性も悪い。さらに、連結リブの当設部分をネジ等で連結する場合、連結具を本体下面より取り付けなければならず、このため、製造効率が悪く、部品点数も増え、コストアップとなってしまう。そのため、下ケースなどに凹部を備えた係止手段を単独に形成することもできるが、強度が低下してしまう。
【０００５】
また、特許文献２にかかるパッキン構造においては、パッキン取り付け孔を挟むようにしてパッキンを取り付けたあと、上ケースと前ケースの組み立てを行っているが、上ケースの前側壁と前ケースとを滑らせながら組み立てる場合は、パッキンの位置決め用突出部が前ケースと接触してめくれてしまう場合があった。
【０００６】
さらに、特許文献３にかかるパッキン構造においては、パッキンは通常ゴム等の軟質材によって構成されており、ホースを差し込む場合にホース差込口とパッキンタイト部が干渉してしまい、滑り性が良くなかった。
【０００７】
本発明は、上記のような課題を解決するためになされたもので、掃除機本体に設けたパイプ係止部の強度を十分に確保しつつ、操作性の良い電気掃除機を提供することを目的とする。
また、上ケースの前側壁と前ケースを相互に滑動させて組み立てる場合であっても、パッキンの突出部が前ケースと接触してめくれてしまうことがない電気掃除機を提供することを目的とする。
さらに、パッキンにホースを差し込むときに、パッキンの滑り性を向上させることができる電気掃除機を提供することを目的とする。
【課題を解決するための手段】
【０００８】
本発明に係る電気掃除機は、下面を形成する下ケースと、この下ケースの上面を覆う上ケースとから電気掃除機本体を構成し、この掃除機本体にホース、延長管などのパイプを接続してなる電気掃除機であって、上ケースの前面側下部にパイプ突起部を係止する凹部を備えたホルダ部を設けるとともに、下ケースに凹部と重なり合う開口部を設け、下ケースによって上ケースのホルダ部を包み込んで二重構造になるようにした。
【発明の効果】
【０００９】
本発明に係る電気掃除機によれば、上ケースのホルダ部を下ケースで包み込んで二重構造としたため、別部品等を追加しなくても十分な強度を得ることができ、製造効率、操作性が良好で、収納時に延長管を堅固に保持することができる。
【発明を実施するための最良の形態】
【００１０】
［実施の形態１］
図１は本発明の実施の形態１に係る電気掃除機の斜視図、図２（ａ）、（ｂ）は図１に示す電気掃除機本体の縦断面図およびその要部の縦断面図、図３は図１に示す電気掃除機本体を底面側よりみた斜視図、図４（ａ）、（ｂ）、（ｃ）は図３に示す電気掃除機本体の下ケースを内面側からみた状態を示す斜視図、その要部の斜視図、及び要部を底面側からみた斜視図、図５（ａ）、（ｂ）は本体ケースの上ケースの斜視図及びその要部の斜視図、図６、図７（ａ）、（ｂ）、図８はそれぞれ延長管の立位収納時の作用説明図である。
図において、電気掃除機本体１は、下面を形成する下ケース２ｂと、下ケース２ｂの上面を覆う上ケース２ａと、前面部を形成してホースが接続される前ケース２ｃとからなる本体ケース２によって形成されている。なお、下ケース２ｂは軽量化のためにＰＰ樹脂によって構成され、上ケース２ａは意匠的観点からＡＢＳ樹脂によって構成されている。
【００１１】
本体ケース２の前面下側には旋回輪３ａが取り付けられ、本体ケース２の後側両側面には従動後輪３ｂが取り付けられており、これらによって床面上を走行できるようになっている。本体ケース２の上部には上下方向に回動自在のハンドル４が設けられ、本体ケース２の前側下部には、電気掃除機本体１を立位状態にするための手かけ用凹部５が形成されている。
また、本体ケース２の後部上面および後部下面には、電気掃除機本体１を立位状態にした際の支持部として、第１、第２、第３の載置部６ａ，６ｂ，６ｃが突設されている。
【００１２】
図４に示すように、下ケース２ｂは、上面が開放された底面２ｄと、その周囲に設けられ上方向に立設した側面２ｅを備えた先細の舟形の形状をなしている。一方、上ケース２ａは、図５に示すように、後部に形成した後側平面部２ｆとその両側と後部に設けられ下方に垂下した後側壁部２ｇからなる後背部と、前部に形成した前側平面２ｈとその両側と前部に設けられ上方に立設した前側壁部２ｉからなる前面部とからなり、後側壁部２ｇと後側壁部２ｉとは上下方向に位置をずらして接触しており、前側平面部２ｈと後側平面部２ｆとの間には空間部２ｊを形成している。
そして、電気掃除機本体１は、上ケース２ａの後部と下ケース２ｂとで電動送風機７を収納する電動送風機収納室８を構成し、上ケース２ａの前部と下ケース２ｂは集塵室９をを形成する。
【００１３】
そして、ホース１０は、その差込口１０ａが集塵室９と気密を保ちながら本体ケース２に着脱自在に設置される。ホース１０の他端には、延長管１１が接続され、さらに吸込具１２が取り付けられている。延長管１１には、立位収納時の係合手段として、延長管１１の長さ方向のほぼ中央部に、吸込具１２の接続部側に向かってほぼ逆Ｌ字形をなすスタンド収納用のパイプ突起部１３（以下、単に突起部という）が設けられている。この突起部１３は、図７に示すように、基部１３ａと、基部１３ａより延長管の軸方向に曲げられた突出部１３ｂによって形成されている。
【００１４】
本体ケース２の下面には、延長管１１の突起部１３と嵌合するためのホルダ部１４が設けられており、上ケース２ａより下面に向かい突設され、下ケース２ｂがそのホルダ部１４を包み込むような形状をとり、前側を開放させて二重構造となるようにしてある。なお、ホルダ部１４の位置は電気掃除機本体１の前部に配置しており、これに対応して延長管１１のスタンド収納用の突起部１３は延長管１１の中央部付近に配設している。
【００１５】
次に、上ケース２ａの前部について詳述すると、図５に示すように、前部にはほぼ垂直に立設された前側側壁２ｉと前側平面２ｈにより支持された開口板１５が設けられ、開口板１５にはほぼ円形のパッキン取付孔１６が形成され、その下部には縦長の切り欠き孔１７が形成されている。そしてこの切り欠き孔１７にパッキン（後述）を嵌合させ、ホース差込口１０ａを本体ケース２のホース受入口１８に挿入して、パッキンを介して本体ケース２に取り付けるようにしてある。
【００１６】
上ケース２ａの前側底部には、延長管１１の立位収納用の突出部１３を収納するホルダ部１４が形成され、その下部には、突起部１３を係止する断面ほぼコ字状の係止凹部１９を設けてあり、その係止凹部１９を立設した両側面２０ａ，２０ｂと中央板２０ｃによって支持している。なお、係止凹部１９の底面２０にはその開口側にほぼコ字状に切欠した切欠部２１が形成されている。
【００１７】
一方、下ケース２ｂの前部について詳述すると、図４に示すように、上ケース２ａのホルダ部１４を挿入する挿入凹部２２が設けられており、この挿入凹部２２の前側には誘導壁面２３が立設されて、上ケース２ａのホルダ部１４が誘導壁面２３に沿ってスライドして挿入凹部２２に嵌合されるようになっている。すなわち、図６に示すように、上ケース２ａのホルダ部１４を、ａ方向に移動させて、下ケース２ｂの挿入凹部２２に嵌合させる。
この場合、上ケース２ａのホルダ部１４の底面２０が、下ケース２ｂの挿入凹部２２の底面２２ａと接触し、ホルダ部１４の開口部１４ａが係止凹部２２の開口部２２ｂと重なり合い、ホルダ部１４の底面２０の切欠部２１が挿入凹部２２の底面２２ａの切欠部２２ｃと重なりあう。こうして、上ケース２ａのホルダ部１４が、下ケース２２ａの挿入凹部２２と重なり合って結合される。
【００１８】
次に、実施の形態１の作用を説明する。図１、図２に示すように、掃除時には、電気掃除機本体内の電動送風機７を回転させて集塵室９内に負圧を発生させる。そして、集塵室９と気密に連通されたホース１０、延長管１１を介して吸込具１２より空気と共に塵埃を吸い込むと、塵埃は電気掃除機本体１内の集塵室９に補足され、空気は電動送風機７内を通り抜けて排気口（図示せず）より電気掃除機本体１外に排出される。
【００１９】
掃除終了時に、電気掃除機本体１の手かけ用凹部５に手をかけて電気掃除機本体１を立位状態にし、床面に載置する。その後、延長管１１の軸方向を上下方向として延長管１１を下方向に移動させ、図７（ａ）に示すように、ホルダ部１４内の係止凹部１９に、延長管１１に設けたほぼ逆Ｌ字状の突起部１３の突出部１３ｂの一端を挿入し、図７（ｂ）、図８に示すように、電気掃除機本体１に取り付ける。
【００２０】
保管中に、延長管１１等に何らかの力が働いてホルダ部１４に過大な負荷がかかっても、ホルダ部１４は下ケース２ｂと上ケース２ａとで二重構造になっているため、強度が強く、破損することはない。
【００２１】
また、ホルダ部１４の位置を電気掃除機本体１の前側に配設したため、立位収納もしやすく、延長管１１の突起部１３も延長管１１の中央部付近に配設でき、このため、吸込具１２の接続パイプを床面近傍まで傾斜させることが可能となり、ソファーの下などの隙間を掃除することも可能となる。
【００２２】
さらに、電気掃除機本体１の下ケース２ｂには軽量化のためＰＰ樹脂を用い、上ケース２ａには意匠的理由のためＡＢＳ樹脂を用いるのが普通であるが、本構造においては、ホルダ部１４はＡＢＳ樹脂からなる上ケース２ａにより形成できるので、下ケース２ｂ単独でホルダ部を形成する場合よりも寸法構造が安定し、このため延長管１１の突起部１３と近い寸法の係止凹部１９を形成することが可能となり、スタンド収納時のぐらつきを改善することができる。
【００２３】
［実施の形態２］
図９は本発明の実施の形態２に係る立位収納時における要部の側面図、図１０は全体を示す側面図である。図に示すように、下ケース２ｂが上ケース２ａのホルダ部１４を包み込んでいるが、下ケース２ｂには下ケース２ｂから連続して突出するホルダ突出部２４が設けられ、この突出部２４がホルダ部１４の係止凹部１９のコ字状の切欠部２１より係止凹部１９内に一部突出している。
【００２４】
上記のように構成した本実施の形態の作用を説明する。延長管１１の軸方向を上下方向として延長管１１を下方向に移動させ、延長管１１の突起部１３の突出部１３ｂを係止凹部１９に挿入すると、下ケース２ｂ側からのホルダ突出部２４が係止凹部１９内に突出しているため、延長管１１を立位収納をした際に、延長管１１はホルダ突出部２４の突出方向と同じ側である電気掃除機本体１の上面側に傾く。
こうして、立位収納時に、吸込具１２と、立てかけた本体ケース２の底部との距離Ｌが広がり、電気掃除機本体１が下面側に倒れるおそれは減少する。
なお、電気掃除機本体１が上面側に倒れるおそれがある場合には、ホルダ突出部２４を電気掃除機本体１の係合凹部１９の上面側に付けるべきであり、電気掃除機本体１の側面側のバランスが悪いときは、同様にして不安定な側にホルダ突出部２４を設けて対応させることができる。
このように、電気掃除機本体１の形状あるいは延長管１やホース１０の長さにより、立位収納が一定方向に不安定な場合でも、立位収納時の安定感を増すことができる。
【００２５】
［実施の形態３］
図１１は本発明の実施の形態３に係る立位収納時における要部の側面図である。本実施の形態においては、実施の形態２に示したほぼ逆Ｌ字形の突起部１３において、突出部１３ｂに延長管１１側に突出した爪部１３ｃを設け、突出部１３ｂを係合凹部１９に挿入した際に、爪部１３ｃがホルダ突出部２４に係止するようにする。
【００２６】
上記のように構成した実施の形態３の作用を説明する。図に示すように、本体ケース２のホルダ突出部２４と、延長管１１の突起部１３の爪部１３ｃが係止する構造になっているため、本体ケース２のホルダ部１４と延長管１１の突起部１３の嵌合が確実になり、また、スタンド収納をする際に、突起部１３の爪部１３ｃが本体ケース２のホルダ突出部２４を乗り越えるようにしたので、適度なクリック感を得ることができる。
また、一旦嵌合させてしまえば無造作には抜けないため、立位収納時において更なる安定感を得ることができる。
【００２７】
［実施の形態４］
本実施の形態では、実施の形態１〜３において、上ケース２ａと下ケース２ｂの色を変えたものである。
本実施の形態によれば、上ケース２ａの係合凹部１９と、それを覆う下ケース２ｂの色が異なるので、ホルダ部１４を目立たせることができ、立位収納を行う際に位置関係が明確となり、収納が容易となる。
【００２８】
［実施の形態５］
図１２（ａ）、（ｂ）、（ｃ）は電気掃除機のパッキン取り付け孔１６に取り付けるパッキン３０をホース側よりみた正面図、その側面図、及び集塵室側よりみた背面図、図１３は図１２の斜視図である。図に示すように、パッキン３０はゴムなどの弾性体により構成されており、外側フランジ部３１、吸引側フランジ部３２、これらの間に挟まれる中間フランジ部３３及び吸引フランジ部３２よりも吸引側に位置する拡径された拡径フランジ部３４により構成されている。そして、外側フランジ部３１と吸引側フランジ部３２のそれぞれから位置決め用の第１、第２の延長部３１ａ、３２ａを設け、これらの延長部３１ａ，３２ａの間にこれらよりも幅狭のリブ３３ａを設けて、これら３体３１ａ，３２ａ，３３ａを接合、あるいは一体の形状にしてある。
【００２９】
上記のように構成した本実施の形態の作用について説明する。電気掃除機本体１を組み立てるとき、まずパッキン３０を取り付けるには、パッキン３０のリブ３３ａをパッキン取り付け孔１６（図５（ａ）参照）の切り欠き部１７に嵌合させ、パッキン３０をパッキン取り付け孔１６に取り付ける。こうして、パッキン３０をセットしておき、上ケース２ａを下ケース２ｂに組み合わせるが、このとき、下ケース２ｂにあらかじめセットしてある前ケース２ｃと、パッキン３０の外側フランジ部３１の第１の延長部３１ａが干渉する場合がある。しかしながら、外側フランジ部３１の外周に設けた位置決め用延長部３１ａを、リブ３３ａを介して位置決め用延長部３２ａと接続してあるので、位置決め用延長部３１ａが前ケース２ｃと干渉しても、上方向にめくれあがることはない。
なお、図１４に示すように、位置決め用延長部３１ａのホース側に外側に向かって傾斜する斜面３１ｂを形成すれば、めくれの防止がより確実になる。
【００３０】
［実施の形態６］
図１５は実施の形態６に係るパッキン３０の縦断面図である。図において、パッキン３０は円形の開口部を有し、ホース側に位置するパッキンタイト部３４と、集塵室側に位置する第二のパッキンタイト部３５によって構成され、パッキンタイト部３４は内側方向に向かって傾斜する斜面形状を構成し、パッキンタイト部３４の内径はホース差込口１０の外径より小さくして、ホース差込口１０ａの外周を、パッキン３０のパッキンタイト部３４と干渉させ、また、第二のタイトパッキン部３５の内径は、ホース差込口１０ａの外径とほぼ同じにしてある。なお、第二のパッキンタイト部３５をパッキンタイト部３４よりも集塵室９側に設けているが、このとき、パッキンタイト部３４を集塵室９側に倒したときに、パッキンタイト部３４の先端が第２のパッキンタイト部３５と干渉せず、また第二のパッキンタイト部３５をホース差込口２ｄ側に倒したときも、第二のパッキンタイト部３５の先端がパッキンタイト部３４と干渉しない位置関係にある。
【００３１】
上記のように構成した本実施の形態の作用について説明する。電気掃除機本体１にホース１０をセットする場合、図１６に示すように、ホース差込口１０ａを前ケース２ｃの挿入穴２ｄに貫入しパッキン３０に挿入させるが、パッキンタイト部３４が自身の斜面によりホース差込口１０ａをパッキン３０の開口部のほぼ中央へと導く。パッキンタイト部３４は、先端まで斜面形状をなし、先端の肉厚は薄くなっているので、ホース差込口１０ａがこの部分を乗り越えるときも大きな抵抗を生じない。さらに、ホース差込口１０ａを挿入すると、図１７に示すように、ホース差込口１０ａは第二のタイトパッキン部３５を越えるが、このときホース差込口１０ａはパッキンタイト部３４によりパッキン３０の開口部のほぼ中央に導かれているため、第二のパッキンタイト部３５との干渉は円形全周で平均化しており、また、従来のものよりも干渉量も少ない。このため、グリスなどの滑り性アップの手段を講じなくても、比較的小さい力で挿入することができる。
【００３２】
ホース１０を抜くときも、ホース差込口１０ａは、パッキンタイト部３４と第二のパッキンタイト部３５により、パッキン３０の開口部とほぼ垂直に保たれているため、第二のパッキンタイト部３５とホース差込口１０ａの干渉は円形全周で平均化している。さらに、ホース差込口１０ａを引き抜くにつれ、第二のパッキンタイト部３５が前ケース２ｃ側に倒れるが、パッキンタイト部３４とは干渉しない。このため、パッキンタイト部３４、３５同士が絡み合うこともなく、グリス等の滑り性アップの手段を講じなくても、比較的軽い力で引き抜くことができる。
【産業上の利用可能性】
【００３３】
本発明は、強度、操作性に優れ、低コストの電気掃除機を提供するものである。
【図面の簡単な説明】
【００３４】
【図１】本発明の実施の形態１に係る電気掃除機の斜視図である。
【図２】図１の本体ケースの縦断面図及びそのホルダ部の拡大縦断面である。
【図３】図１の本体ケースを底部側よりみた斜視図である。
【図４】図１の本体ケースの下ケースを内部側よりみた分解状態の斜視図、その挿入凹部を拡大した斜視図、及び挿入凹部を底面側より拡大してみた斜視図である。
【図５】本体ケースの上ケースを上面側より見た分解状態の斜視図、及びそのホルダ部を拡大した斜視図である。
【図６】上ケースのホルダー部と下ケースの挿入凹部の作用説明図である。
【図７】実施の形態１の作用説明図である。
【図８】実施の形態１の作用説明図である。
【図９】本発明の実施の形態２に係る電気掃除機の作用説明図である。
【図１０】実施の形態２の作用説明図である。
【図１１】本発明の実施の形態３に係る電気掃除機の作用説明図である。
【図１２】本発明の実施の形態４に係る電気掃除機のパッキン構造を示す正面図、側面図及び背面図である。
【図１３】図１２の斜視図である。
【図１４】実施の形態４に係る電気掃除機の他のパッキン構造を示す斜視図である。
【図１５】実施の形態５に係る電気掃除機のパッキン構造を示す縦断面図である。
【図１６】図１５の作用説明図である。
【図１７】図１５の作用説明図である。
【符号の説明】
【００３５】
１  電気掃除機本体、２ａ  上ケース、２ｂ  下ケース、１０  ホース、１１  延長管、１３  パイプ突起部、１３ｂ  突出部、１４  ホルダ部、１９  係止凹部、２２ａ  開口部、２４  ホルダ突出部。
【図１】
2005052519.tif 000003
【図２】
2005052519.tif 000004
【図３】
2005052519.tif 000005
【図４】
2005052519.tif 000006
【図５】
2005052519.tif 000007
【図６】
2005052519.tif 000008
【図７】
2005052519.tif 000009
【図８】
2005052519.tif 000010
【図９】
2005052519.tif 000011
【図１０】
2005052519.tif 000012
【図１１】
2005052519.tif 000013
【図１２】
2005052519.tif 000014
【図１３】
2005052519.tif 000015
【図１４】
2005052519.tif 000016
【図１５】
2005052519.tif 000017
【図１６】
2005052519.tif 000018
【図１７】
2005052519.tif 000019